(57)【要約】【課題】本発明は、画像が形成され、または画像が形成された写真シートに対してレーザ照射により所定の形状加工を行う写真加工システムに関し、画像が形成される写真シートの形状等を変更自在として多様化を図ることを目的とする。【解決手段】撮像カメラ１８で撮像された電子的な撮像データに基づいて、レーザプリンタ１２で写真シートを作製させると共に、当該撮像データをＣＲＴ１３、ハーフミラー１７を介してタッチパネル１６上に表示させてカット加工条件を当該タッチパネル１６より設定入力させ、これに基づきレーザ照射手段１４が当該写真シートに対して加工ステージ１５上で貫通形態のフルカットまたは非貫通形態のハーフカットで連続的または不連続的にレーザ照射を行ってカット加工するもので、これらの処理を制御ユニット１９が制御する構成とする。【選択図】  図１
2004177685.tif 000002
【特許請求の範囲】
【請求項１】
入力される電子的な撮像データに基づき、所定の画像形成シート上に当該撮像データによる画像を形成して写真シートを作製するプリント手段と、
前記撮像データの画像を表示する表示手段と、
少なくとも、前記表示手段で表示された画像に対し、所定のカット加工する条件を設定させる入力手段と、
前記写真シートに対し、前記入力手段で設定された所定のカット加工条件に基づいてレーザ照射により当該所定のカット加工を行うレーザ照射手段と、
少なくとも、前記撮像データに基づいて、前記写真シートを作製させると共に、形成画像を表示させて前記カット加工条件を設定させ、前記レーザ照射を行わせる処理を制御する加工制御手段と、
を有することを特徴とする写真加工システム。
【請求項２】
請求項１記載の写真加工システムであって、前記写真シートは、単一シート、または粘着剤が塗布されて剥離紙が設けられたラベルシートであることを特徴とする写真加工システム。
【請求項３】
請求項１または２記載の写真加工システムであって、前記カット加工は、前記写真シートに対して貫通形態のフルカットまたは非貫通形態のハーフカットにより、連続的または不連続的に行われることを特徴とする写真加工システム。
【請求項４】
請求項１〜３の少なくとも何れかに記載の写真加工システムであって、前記電子的な撮像データを入力させるものとして、所定の被写体を撮像する第１の撮像手段を備えることを特徴とする写真加工システム。
【請求項５】
請求項１〜３の少なくとも何れかに記載の写真加工システムであって、前記電子的な撮像データが記憶手段に記憶され、当該記憶手段より当該撮像データを取得する画像入力手段を備えることを特徴とする写真加工システム。
【請求項６】
所定の感光フィルムを備え、所定の被写体に対して撮像する第２の撮像手段と、
前記撮像された感光フィルムを現像し、所定の画像形成シート上に画像を形成して写真シートを作製するプリント手段と、
前記写真シート上の画像を撮像して電子的な撮像データを得る第１の撮像手段と、
前記撮像データの画像を表示する表示手段と、
少なくとも、前記表示手段で表示された画像に対し、所定のカット加工する条件を設定させる入力手段と、
前記写真シートに対し、前記入力手段で設定された所定のカット加工条件に基づいてレーザ照射により当該所定のカット加工を行うレーザ照射手段と、
少なくとも、前記第２の撮像手段により撮像させて前記感光フィルムより写真シートを作製させると共に、当該写真シートの形成画像を第１の撮像手段により電子的な撮像データを得、当該撮像データに基づいて、形成画像を表示させて前記カット加工条件を設定させ、前記レーザ照射を行わせる処理を制御する加工制御手段と、
を有することを特徴とする写真加工システム。
【請求項７】
画像が形成された写真シートを取り込む取込手段と、
前記取り込んだ写真シート上の画像を撮像して電子的な撮像データを得る第１の撮像手段と、
前記撮像データの画像を表示する表示手段と、
少なくとも、前記表示手段で表示された画像に対し、所定のカット加工する条件を設定させる入力手段と、
前記写真シートに対し、前記入力手段で設定された所定のカット加工条件に基づいてレーザ照射により当該所定のカット加工を行うレーザ照射手段と、
少なくとも、前記写真シートを取り込み、撮像した前記撮像データに基づいて、形成画像を表示させて前記カット加工条件を設定させ、前記レーザ照射を行わせる処理を制御する加工制御手段と、
を有することを特徴とする写真加工システム。
【請求項８】
請求項７記載の写真加工システムであって、前記写真シートは、単一シート、または粘着剤が塗布されて剥離紙が設けられたラベルシートであることを特徴とする写真加工システム。
【請求項９】
請求項６〜８の少なくとも何れかに記載の写真加工システムであって、前記カット加工は、前記写真シートに対して貫通形態のフルカットまたは非貫通形態のハーフカットにより、連続的または不連続的に行われることを特徴とする写真加工システム。
【発明の詳細な説明】
【０００１】
【発明の属する技術分野】
本発明は、画像が形成され、または画像が形成された写真シートに対してレーザ照射により所定の形状加工を行う写真加工システムに関する。
【０００２】
【従来の技術】
近年、例えば撮影からその場でプリントを行うアミューズメント用写真作製機が普及している。このような写真作製機は、上半身を撮影するものから、全身を撮影するものまで種々あり、画像が形成される写真ラベルシートも画像形成紙自体や、これらに粘着剤を形成して剥離紙が設けられたいわゆる写真シールまで種々存在する。このような写真作製機の構成として以下の特許文献のものが知られている。
【０００３】
【特許文献１】
特開２０００−２９１１８号公報
【特許文献２】
特開２０００−９２４８０号公報
【０００４】
上記特許文献１，２の何れにおいても、その写真作製機の主要構成として、撮影機、ハーフミラー、ディスプレイ、プリンタおよびコンピュータが備えられている。すなわち、ディスプレイよりハーフミラーを介して初期画面がモニタ上に表示され、操作者（写真撮影希望者）による操作によりハーフミラーを介して撮影機で撮影し、撮影データに基づいてプリンタが即座に印刷を行ってプリントするものである。
【０００５】
【発明が解決しようとする課題】
しかしながら、従来の写真作製機は、一枚の画像形成紙に対して面付け数が設定されたパターン内で選択することはできるが、当該画像形成紙は予め形状や大きさ定められており、定められた画像形成紙でしか撮影することができないという問題がある。
【０００６】
そこで、本発明は上記課題に鑑みなされたもので、画像が形成される写真シートの形状等を変更自在として多様化を図る写真加工システムを提供することを目的とする。
【０００７】
【課題を解決するための手段】
上記課題を解決するために、請求項１の発明では、入力される電子的な撮像データに基づき、所定の画像形成シート上に当該撮像データによる画像を形成して写真シートを作製するプリント手段と、前記撮像データの画像を表示する表示手段と、少なくとも、前記表示手段で表示された画像に対し、所定のカット加工する条件を設定させる入力手段と、前記写真シートに対し、前記入力手段で設定された所定のカット加工対象に基づいてレーザ照射により当該所定のカット加工を行うレーザ照射手段と、少なくとも、前記撮像データに基づいて、前記写真シートを作製させると共に、形成画像を表示させて前記カット加工対象を設定させ、前記レーザ照射を行わせる処理を制御する加工制御手段と、を有する構成とする。
【０００８】
請求項２〜５の発明では、「前記写真シートは、単一シート、または粘着剤が塗布されて剥離紙が設けられたラベルシートである」構成であり、
「前記カット加工は、前記写真シートに対して貫通形態のフルカットまたは非貫通形態のハーフカットにより、連続的または不連続的に行われる」構成であり、
「前記電子的な撮像データを入力させるものとして、所定の被写体を撮像する第１の撮像手段を備える」構成であり、
「前記電子的な撮像データが記憶手段に記憶され、当該記憶手段より当該撮像データを取得する画像入力手段を備える」構成である。
【０００９】
請求項６の発明では、所定の感光フィルムを備え、所定の被写体に対して撮像する第２の撮像手段と、前記撮像された感光フィルムを現像し、所定の画像形成シート上に画像を形成して写真シートを作製するプリント手段と、前記写真シート上の画像を撮像して電子的な撮像データを得る第１の撮像手段と、前記撮像データの画像を表示する表示手段と、少なくとも、前記表示手段で表示された画像に対し、所定のカット加工する条件を設定させる入力手段と、前記写真シートに対し、前記入力手段で設定された所定のカット加工条件に基づいてレーザ照射により当該所定のカット加工を行うレーザ照射手段と、少なくとも、前記第２の撮像手段により撮像させて前記感光フィルムより写真シートを作製させると共に、当該写真シートの形成画像を第１の撮像手段により電子的な撮像データを得、当該撮像データに基づいて、形成画像を表示させて前記カット加工条件を設定させ、前記レーザ照射を行わせる処理を制御する加工制御手段と、を有する構成とする。
【００１０】
請求項７の発明では、画像が形成された写真シートを取り込む取込手段と、前記取り込んだ写真シート上の画像を撮像して電子的な撮像データを得る第１の撮像手段と、前記撮像データの画像を表示する表示手段と、少なくとも、前記表示手段で表示された画像に対し、所定のカット加工する条件を設定させる入力手段と、前記写真シートに対し、前記入力手段で設定された所定のカット加工条件に基づいてレーザ照射により当該所定のカット加工を行うレーザ照射手段と、少なくとも、前記写真シートを取り込み、撮像した前記撮像データに基づいて、形成画像を表示させて前記カット加工条件を設定させ、前記レーザ照射を行わせる処理を制御する加工制御手段と、を有する構成とする。
【００１１】
請求項８、９の発明では、「前記写真シートは、単一シート、または粘着剤が塗布されて剥離紙が設けられたラベルシートである」構成であり、
「前記カット加工は、前記写真シートに対して貫通形態のフルカットまたは非貫通形態のハーフカットにより、連続的または不連続的に行われる」構成である。
【００１２】
このように、請求項１〜５の発明では、第１の撮像手段で撮像され、または記憶手段に記憶されて入力された電子的な撮像データに基づいて、単一シートまたはラベルシートの写真シートを作製させると共に、形成画像を表示させてカット加工条件を設定させ、これに基づき当該写真シートに対して貫通形態のフルカットまたは非貫通形態のハーフカットにより、連続的または不連続的にレーザ照射を行ってカット加工する。すなわち、取得される撮像データより設定される所定条件で写真シートをレーザ照射によるカット加工を行うことから、画像が形成された写真シートの形状等を変更自在として多様化を図ることが可能となるものである。
【００１３】
また、請求項６および９の発明では、所定の被写体を撮像した感光フィルムより写真シートを作製させると共に、当該写真シートの形成画像より電子的な撮像データを得、当該撮像データに基づいて、形成画像を表示させてカット加工条件を設定させ、これに基づき写真シートに対して貫通形態のフルカットまたは非貫通形態のハーフカットにより、連続的または不連続的にレーザ照射を行ってカット加工する。すなわち、感光フィルムより作製された写真シートから取得される撮像データより設定される所定条件で当該写真シートをレーザ照射によるカット加工を行うことから、上記同様に、画像が形成された写真シートの形状等を変更自在として多様化を図ることが可能となるものである。
【００１４】
さらに、請求項７〜９の発明では、画像が形成された写真シートを取り込み、撮像した撮像データに基づいて、形成画像を表示させてカット加工条件を設定させ、これに基づき写真シートに対して貫通形態のフルカットまたは非貫通形態のハーフカットにより、連続的または不連続的にレーザ照射を行ってカット加工する。すなわち、既に画像が形成された写真シートから取得される撮像データより設定される所定条件で当該写真シートをレーザ照射によるカット加工を行うことから、上記同様に、画像が形成された写真シートの形状等を変更自在として多様化を図ることが可能となるものである。
【００１５】
【発明の実施の形態】
以下、本発明の好ましい実施形態を図により説明する。本実施形態における第１実施形態、第２実施形態、第４実施形態では、写真シートとして写真画像が形成される写真ラベルシートに適用した場合を示すが、単一の写真シートについても適用することができるものである。
【００１６】
図１に、本発明に係る写真加工システムの第１実施形態の構成図を示す。図１（Ａ）は写真加工システムの概略構成図、図１（Ｂ）は写真加工システムのブロック構成図である。図１（Ａ）において、写真加工システム１１は、筐体内に、プリント手段であるレーザプリンタ１２、表示手段であるＣＲＴ１３、レーザ照射手段１４、加工ステージ１５、入力手段であるタッチパネル１６、ハーフミラー１７、第１の撮像手段である撮像カメラ１８およびこれらを制御する加工制御手段である制御ユニット１９を適宜備え、排出口２０が形成される。なお、レーザプリンタ１２で作製された写真シートの加工ステージ１５への搬送、当該加工ステージ１５からの排出口２０への搬送の手段は図示を省略する。
【００１７】
上記レーザプリンタ１２は、適応性質であって所定大の画像形成シート１２Ａを備えるもので、入力される電子的な撮像データに基づき、当該画像形成シート１２Ａ上に撮像カメラ１８で撮像された撮像データによる画像を形成して写真シートを作製する。なお、プリント手段としては、オンデマンドでプリント可能なプリンタであればよく、例えばインクジェットプリンタでも適用することができるものである。また、画像形成シート１２Ａは、上半身撮影に限らず、全身撮影に対応した大きさのものが適宜選択されて備えられるもので、ここでは上述のようにラベルシート（構成は図２で説明する）が使用され、これに画像がプリントされることで写真ラベルシールとなるものである。
【００１８】
上記ＣＲＴ１３は、レーザ加工のための所定の設定画面や、撮像カメラ１８で撮像された画像データ等が表示される。なお、表示手段１３として、ＣＲＴに代えて液晶パネルを使用してもよい。上記レーザ照射手段１４は、レーザ発振器およびガルバノスキャナを備えるもので、レーザ発振器としてＣＯ２レーザ、ＹＡＧレーザ、ＵＶレーザ、エキシマレーザ等の従前より知られている発振手段がある。なお、レーザ光の走査方式としては上記ガルバノ方式の他、ＸＹプロッタ方式等を適用してもよい。
【００１９】
上記タッチパネル１６は、通常知られているパネル型入力装置であり、上記ＣＲＴ１３に表示された画面がハーフミラー１７を介して表示される。このハーフミラー１７は、当該ＣＲＴ１３の表示画面をタッチパネル１６上に表示させると共に、撮像カメラ１８によるタッチパネル操作者（写真撮影希望者）を被写体とした撮影を行わせるためのものである。そして、上記撮像カメラ１８は、撮像画像が電子的な撮像データとして出力可能なもので、例えば一般的に知られているＣＣＤカメラを使用することができる。
【００２０】
上記制御ユニット１９は、少なくとも上記各構成要素の処理を制御するもので、図１（Ｂ）に示すように、制御処理手段２１、バス２２、インタフェース（ＩＦ）２３、入力データ処理手段２４、ＣＲＴ駆動制御手段２５、カメラ駆動制御手段２６、撮像データ取得手段２７、プリンタ駆動制御手段２８、レーザ照射ファイル作成手段２９およびレーザ照射駆動制御手段３０を適宜備える。
【００２１】
上記制御処理手段２１は、このシステムを統括的に制御するもので、そのためのプログラムを格納する。上記ＩＦ２３は、上記レーザプリンタ１２やレーザ照射手段１４等に駆動制御信号を出力すると共に、撮像カメラ１８より撮像データを入力し、タッチパネル１６よりレーザ照射の条件としての所定の設定データ等を入力する。上記入力データ処理手段２４は、上記タッチパネル１６より入力された設定データ等の加工条件に基づいてレーザ加工の形状（照射領域）、形態（レーザ照射による貫通形態のフルカット、非貫通形態のハーフカット、連続的照射、不連続的照射等）を特定する。
【００２２】
上記ＣＲＴ駆動制御手段２５は、上記タッチパネル１６上に所定の画面や撮像データに基づく撮像画面を表示させるために、ＣＲＴ１３に当該画面等を表示させる表示データを生成して出力する。上記カメラ駆動制御手段２６は、撮像カメラ１８を駆動するための駆動制御信号を生成して出力する。上記撮像データ取得手段２７は、適宜バッファを備え、撮像カメラ１８で撮像された撮像データを取得して、例えばビットマップ状に展開する。
【００２３】
上記プリンタ駆動制御手段２８は、取得された撮像データに基づき上記レーザプリンタ１２に対してプリント方式に適応させたイメージファイルを作成し、これに基づいて当該レーザプリンタ１２に対してプリントデータを出力する。上記レーザ照射ファイル作成手段２９は、上記撮像データ取得手段２７に取得された撮像データおよび上記入力データ処理手段２４で特定されたレーザ加工の形状、形態に基づいて、レーザ加工のための加工データファイルを作成する。そして、上記レーザ照射駆動制御手段３０は、作成された加工データファイルに基づいてレーザ照射手段１４を駆動制御するものである。
【００２４】
ここで、図２に、図１の写真加工システムにおける加工形態の説明図を示す。図２（Ａ）において、写真シートとしての写真ラベルシート３１Ａは、写真形成基体３２の裏面に粘着剤３３が塗布され、剥離紙３４が設けられたものであり、この状態で例えば上記レーザプリンタ１２でプリントされる。この写真形成基体３２は、レーザプリンタ１２に適応した材質であり、例えば写真プリントに適したアート紙、コート紙等が適用される。
【００２５】
この写真形成基体３２上には、上記レーザプリンタ１２により被写体画像３５がプリントされ、例えば上記タッチパネル１６からのレーザ照射条件としての設定入力データにより、この被写体画像３５を囲む所定形状としてレーザ加工ライン３６が設定入力され、当該レーザ加工ライン３６に沿ってレーザ照射される。この場合、連続的なレーザ照射により写真形成基体３２および粘着剤３３は貫通形態のフルカットとなり、写真ラベルシート３１Ａ全体としては非貫通のハーフカットに形成されたものである。
【００２６】
また、図２（Ｂ）において、写真シートとしての写真ラベルシート３１Ｂは、上記同様の構成で、上記レーザプリンタ１２により同一面上に各被写体画像３５が個別所定数プリントされ、例えば設定入力データにより、所定数の被写体画像３５を分離させる所定形状としてレーザ加工ライン３６が設定され、当該レーザ加工ライン３６に沿ってレーザ照射される。この場合、不連続的なレーザ照射により写真形成基体３２、粘着剤３３および剥離紙３４が貫通形態のフルカット（ハーフカットでもよい）で形成されたものとして示してある。
【００２７】
さらに、図２（Ｃ）において、写真シートとしての写真ラベルシート３１Ｃは、上記同様の構成で、上記レーザプリンタ１２により全身像の被写体画像３５がプリントされ、例えば設定入力データにより、当該全身像の輪郭に沿った所定形状としてレーザ加工ライン３６が設定され、当該レーザ加工ライン３６に沿ってレーザ照射される。この場合、例えば連続的なレーザ照射により写真形成基体３２および粘着剤３３は貫通形態のフルカットとして写真ラベルシート３１Ａ全体としては非貫通のハーフカットで形成してもよく、また、写真形成基体３２、粘着剤３３および剥離紙３４が貫通形態のフルカットで形成してもよい。
【００２８】
そこで、図３に、図１における写真加工システムにおける写真加工のフローチャートを示す。図３において、まず、制御ユニット１９における制御処理手段２１からの命令によりＣＲＴ駆動制御手段２５がＣＲＴ１３に初期画面を表示させることでハーフミラー１７を介してタッチパネル１６上に表示させる（ステップ（Ｓ）１）。例えば、初期画面として操作者（撮影希望者）を撮影開始等の選択タッチボタン等の表示画面である。なお、初期画面の表示タイミングとして、図示しないコイン機構を設けて、コインが投入されたときに表示命令を発することとしてもよい。
【００２９】
そこで、タッチパネル１６から撮影入力信号を入力すると、カメラ駆動制御手段２６により撮像カメラ１８が駆動されることにより、ハーフミラー１７を介してタッチパネル１６の前面の被写体（撮影希望者）が撮像される（Ｓ２）。撮像カメラ１８により撮像された撮像データが撮像データ取得手段２７で取得されると（Ｓ３）、ＣＲＴ駆動制御手段２５が当該撮像データに基づいて、加工形状、加工形態等を設定させる画面をＣＲＴ１３に表示させることでタッチパネル１６上に表示させると共に、プリンタ駆動制御手段２８が当該撮像データに基づいてレーザプリンタ１２に対してラベルシート（画像形成シート）１２Ａにプリントさせて写真ラベルシート３１として加工ステージ１５上に供給させる（Ｓ４）。
【００３０】
上記加工形状としては、例えば図２（Ａ）〜（Ｃ）に示すように、レーザ加工ライン３６の形状等であり、上記加工形態としては例えばレーザ照射による加工がフルカット、ハーフカットや、レーザスキャンが連続、不連続等の形態等である。レーザ加工がフルカットかハーフカットかでレーザ出力が調整され、レーザスキャンが連続か不連続かで照射タイミングが調整されるものである。
【００３１】
続いて、タッチパネル１６からのレーザ照射条件である上記加工形状、加工形態等の設定入力データが入力されると、入力データ処理手段２４が上記撮像データ上での加工形状部分を特定すると共に、加工形態を特定することによって、レーザ照射ファイル作成手段２９がレーザ照射に関するレーザ照射ファイルを作成する（Ｓ５）。
【００３２】
上記レーザ照射ファイルに基づいて、レーザ照射駆動制御手段３０がレーザ照射手段１４に対して駆動制御することにより、上記設定された加工形状、加工形態の条件で加工ステージ１５上の写真ラベルシート３１をレーザ加工する（Ｓ６）。そして、上記図２（Ａ）〜（Ｃ）に示すようにレーザ加工された写真ラベルシート３１が排出口２０より排出されるものである（Ｓ７）。
【００３３】
このように、撮像カメラ１８により撮像して写真ラベルシート３１にプリントした撮像データより設定される所定条件で当該写真ラベルシート３１をレーザ照射によるカット加工を行うことから、画像３５が形成された写真ラベルシート３１の形状等を変更自在として多様化を図ることができるものである。
【００３４】
次に、図４に、本発明に係る写真加工システムの第２実施形態の構成図を示す。図４（Ａ）は写真加工システムの概略構成図、図４（Ｂ）は写真加工システムのブロック構成図である。図４（Ａ）において、写真加工システム４１は、図１（Ａ）、（Ｂ）に示す写真加工システム１１における撮像カメラ１８（制御ユニット１９のカメラ駆動制御手段２６も同様）が省略され、筐体に制御ユニット１９のＩＦ２３と電気的接続された画像入力手段としてのメモリ接続端子４２が設けられたものである。
【００３５】
上記メモリ接続端子４２に撮像データが記憶された記憶手段であるメモリ４３が挿入（セット）されると、挿入されたときの信号に基づいて制御ユニット１９の撮像データ取得手段２７が、当該メモリ４３より撮像データを取得するものである。なお、他の構成は図１（Ａ）、（Ｂ）の写真加工システム１１と同様であり、説明を省略する。
【００３６】
そこで、図５に、図４における写真加工システムにおける写真加工のフローチャートを示す。図５において、まず、例えば図示しないコイン機構にコインが投入されると、制御ユニット１９における制御処理手段２１からの命令によりＣＲＴ駆動制御手段２５がＣＲＴ１３に初期画面を表示させることでハーフミラー１７を介してタッチパネル１６上に表示させる（Ｓ１１）。この場合の初期画面としては、例えばメモリ接続端子４２へのメモリ挿入を促すメッセージ等の表示がある。
【００３７】
メモリ４３がメモリ接続端子４２に挿入されると、その挿入信号によりＣＲＴ駆動制御手段２５がＣＲＴ１３に対してメモリ４３内に記憶されている所定数の撮像データ中の何れの撮像データを対象とするかの画面を表示させることで、ハーフミラー１７を介してタッチパネル１６上に表示させる（Ｓ１２）。
【００３８】
タッチパネル１６より選択された撮像データが撮像データ取得手段２７で取得されると（Ｓ１３）、ＣＲＴ駆動制御手段２５が当該撮像データに基づいて、加工形状、加工形態等を設定させる画面をＣＲＴ１３に表示させることでタッチパネル１６上に表示させると共に、プリンタ駆動制御手段２８が当該撮像データに基づいてレーザプリンタ１２に対してラベルシート（画像形成シート）１２Ａにプリントさせて写真ラベルシート３１として加工ステージ１５上に供給させる（Ｓ１４）。
【００３９】
続いて、タッチパネル１６からのレーザ照射条件である上記加工形状、加工形態等の設定入力データが入力されると、入力データ処理手段２４が上記撮像データ上での加工形状部分を特定すると共に、加工形態を特定することによって、レーザ照射ファイル作成手段２９がレーザ照射に関するレーザ照射ファイルを作成する（Ｓ１５）。
【００４０】
上記レーザ照射ファイルに基づいて、レーザ照射駆動制御手段３０がレーザ照射手段１４に対して駆動制御することにより、上記設定された加工形状、加工形態の条件で加工ステージ１５上の写真ラベルシート３１をレーザ加工する（Ｓ１６）。そして、上記図２（Ａ）〜（Ｃ）に示すようにレーザ加工された写真ラベルシート３１が排出口２０より排出されるものである（Ｓ１７）。
【００４１】
このように、メモリ４３に記憶されている撮像データに基づいて写真ラベルシート３１にプリントする場合であっても、当該撮像データより設定される所定条件で当該写真ラベルシート３１をレーザ照射によるカット加工を行うことから、画像３５が形成された写真ラベルシート３１の形状等を変更自在として多様化を図ることができるものである。
【００４２】
次に、図６に、本発明に係る写真加工システムの第３実施形態の構成図を示す。図６（Ａ）は写真加工システムの概略構成図、図６（Ｂ）は写真加工システムのブロック構成図である。図６（Ａ）において、写真加工システム５１は、図１（Ａ）、（Ｂ）に示す写真加工システム１１における撮像カメラ１８を第１の撮像手段である第１カメラ１８として加工ステージ１５上に配置し、タッチパネル１６の前面の被写体を撮像する第２の撮像手段として第２カメラ５２を配置したものである。
【００４３】
上記第２カメラ５３は、感光フィルムにより撮像するものであり、上記レーザプリンタ１２に代えて現像プリンティング装置５３が備えられる。当該現像プリンティング装置５３でプリントする画像形成シートはいわゆる印画紙５３Ａであり、単一の写真シートとして作製する。また、上記構成に応じて、制御ユニット１９は、カメラ駆動制御手段６１が上記第１カメラ１８および第２カメラ５２の駆動を制御する。そして、上記現像プリンティング装置５３を駆動制御する現像プリント制御手段６２が備えられるものである。なお、他の構成は図１（Ａ）、（Ｂ）の写真加工システム１１と同様であり、説明を省略する。
【００４４】
そこで、図７に、図６における写真加工システムにおける写真加工のフローチャートを示す。図７において、まず、制御ユニット１９における制御処理手段２１からの命令によりＣＲＴ駆動制御手段２５がＣＲＴ１３に初期画面を表示させることでハーフミラー１７を介してタッチパネル１６上に表示させる（Ｓ２１）。例えば、初期画面として操作者（撮影希望者）を撮影開始等の選択タッチボタン等の表示画面である。上記同様に、初期画面の表示タイミングとして、図示しないコイン機構を設けて、コインが投入されたときに表示命令を発することとしてもよい。
【００４５】
そこで、タッチパネル１６から撮影入力信号を入力すると、カメラ駆動制御手段６１が第２カメラ５２を駆動してハーフミラー１７を介してタッチパネル１６の前面の被写体（撮影希望者）を撮像する。その後、現像プリント制御手段６２が現像プリンティング装置５３を駆動することにより現像を行わせ、画像形成シート（印画紙）５３Ａに結像させることで写真シートを作製し、加工ステージ１５上に供給させる（Ｓ２２）。
【００４６】
加工ステージ１５上において、第１カメラ１８により写真シートを撮像させて電子的な撮像データとして撮像データ取得手段２７が取得すると（Ｓ２３）、ＣＲＴ駆動制御手段２５が当該撮像データに基づいて、加工形状、加工形態等を設定させる画面をＣＲＴ１３に表示させることでタッチパネル１６上に表示させる（Ｓ２４）。
【００４７】
続いて、タッチパネル１６からのレーザ照射条件である上記加工形状、加工形態等の設定入力データが入力されると、入力データ処理手段２４が上記撮像データ上での加工形状部分を特定すると共に、加工形態を特定することによって、レーザ照射ファイル作成手段２９がレーザ照射に関するレーザ照射ファイルを作成する（Ｓ２５）。
【００４８】
上記レーザ照射ファイルに基づいて、レーザ照射駆動制御手段３０がレーザ照射手段１４に対して駆動制御することにより、上記設定された加工形状、加工形態の条件で加工ステージ１５上の写真シートをレーザ加工する（Ｓ２６）。そして、上記図２（Ａ）〜（Ｃ）に示すような形態でレーザ加工された写真シートが排出口２０より排出されるものである（Ｓ２７）。
【００４９】
このように、感光フィルムを備える第２カメラ５２により撮像させて現像、プリントされた写真シートを撮像カメラ１８により撮像して得た撮像データより設定される所定条件で当該写真シートをレーザ照射によるカット加工を行うことから、画像が形成された写真シートの形状等を変更自在として多様化を図ることができるものである。
【００５０】
次に、図８に、本発明に係る写真加工システムの第４実施形態の構成図を示す。図８（Ａ）は写真加工システムの概略構成図、図８（Ｂ）は写真加工システムのブロック構成図である。図８（Ａ）において、写真加工システム７１は、図１（Ａ）、（Ｂ）に示す写真加工システム１１における撮像カメラ１８を加工ステージ１５上に配置し、レーザプリンタ１２（制御ユニット１９のプリンタ駆動制御手段２８も同様）を省略したものである。そして、上記排出口２０を取込手段としての入排出口７２としたもので、当該入排出口７２に写真ラベルシート７３が挿入されて加工ステージ１５上に位置される構成である。なお、他の構成は図１（Ａ）、（Ｂ）の写真加工システム１１と同様であり、説明を省略する。
【００５１】
そこで、図９に、図８における写真加工システムにおける写真加工のフローチャートを示す。図９において、まず、例えば図示しないコイン機構にコインが投入されると、制御ユニット１９における制御処理手段２１からの命令によりＣＲＴ駆動制御手段２５がＣＲＴ１３に初期画面を表示させることでハーフミラー１７を介してタッチパネル１６上に表示させる（Ｓ３１）。この場合の初期画面としては、例えば入排出口７２への写真シート７３の挿入を促すメッセージ等の表示がある。
【００５２】
写真シート７３が入排出口７２に挿入されて加工ステージ１５上に位置されると、その挿入信号により加工ステージ１５上において、撮像カメラ１８により当該写真シート７３を撮像させて電子的な撮像データとして撮像データ取得手段２７が取得すると（Ｓ３２）、ＣＲＴ駆動制御手段２５が当該撮像データに基づいて、加工形状、加工形態等を設定させる画面をＣＲＴ１３に表示させることでタッチパネル１６上に表示させる（Ｓ３３）。
【００５３】
タッチパネル１６より選択された撮像データが撮像データ取得手段２７で取得されると、入力データ処理手段２４が上記撮像データ上での加工形状部分を特定すると共に、加工形態を特定することによって、レーザ照射ファイル作成手段２９がレーザ照射に関するレーザ照射ファイルを作成する（Ｓ３４）。
【００５４】
上記レーザ照射ファイルに基づいて、レーザ照射駆動制御手段３０がレーザ照射手段１４に対して駆動制御することにより、上記設定された加工形状、加工形態の条件で加工ステージ１５上の写真シート７３をレーザ加工する（Ｓ３５）。そして、上記図２（Ａ）〜（Ｃ）に示すような形態でレーザ加工された写真シート７３が入排出口７２より排出されるものである（Ｓ３６）。
【００５５】
このように、既に作製された写真シート７３であっても当該写真シート７３を撮像して電子的な撮像データを得、当該撮像データより設定される所定条件で当該写真シート７３をレーザ照射によるカット加工を行うことから、画像が形成された写真シート７３の形状等を変更自在として多様化を図ることができるものである。
【００５６】
ところで、上記第１実施形態〜第４実施形態は、それぞれ単独の写真加工システム１１，４１，５１，７１を示したが、これらの主要素を適宜組み合わせたシステムとして、選択画面により操作者に適宜選択させる構成としてもよい。例えば、図１の写真加工システム１１に図４のメモリ４３より撮像データを取得するシステムとする場合や、さらにこれに図８に示すような既に画像が形成された写真シートを取り込んで加工できるシステムとする場合である。また、図１または図４の写真加工システム１１，４１に図８に示すような既に画像が形成された写真シートを取り込んで加工できるシステムとしてもよい。さらに、図６の写真加工システム５１に図８に示すような既に画像が形成された写真シートを取り込んで加工できるシステムとしてもよいものである。
【００５７】
【発明の効果】
以上のように、請求項１〜５の発明によれば、第１の撮像手段で撮像され、または記憶手段に記憶されて入力された電子的な撮像データに基づいて、単一シートまたはラベルシートの写真シートを作製させると共に、形成画像を表示させてカット加工条件を設定させ、これに基づき当該写真シートに対して貫通形態のフルカットまたは非貫通形態のハーフカットにより連続的または不連続的にレーザ照射を行ってカット加工する構成とすることにより、画像が形成された写真シートの形状等を変更自在として多様化を図ることができるものである。
【００５８】
また、請求項６および９の発明によれば、所定の被写体を撮像した感光フィルムより写真シートを作製させると共に、当該写真シートの形成画像より電子的な撮像データを得、当該撮像データに基づいて、形成画像を表示させてカット加工条件を設定させ、これに基づき写真シートに対して貫通形態のフルカットまたは非貫通形態のハーフカットにより連続的または不連続的にレーザ照射を行ってカット加工する構成とすることにより、画像が形成された写真シートの形状等を変更自在として多様化を図ることができるものである。
【００５９】
さらに、請求項８、９の発明を含む請求項７の発明によれば、画像が形成された写真シートを取り込み、撮像した撮像データに基づいて、形成画像を表示させてカット加工条件を設定させ、これに基づき写真シートに対して貫通形態のフルカットまたは非貫通形態のハーフカットにより連続的または不連続的にレーザ照射を行ってカット加工する構成とすることにより、画像が形成された写真シートの形状等を変更自在として多様化を図ることができるものである。
【図面の簡単な説明】
【図１】本発明に係る写真加工システムの第１実施形態の構成図である。
【図２】図１の写真加工システムにおける加工形態の説明図である。
【図３】図１における写真加工システムにおける写真加工のフローチャートである。
【図４】本発明に係る写真加工システムの第２実施形態の構成図である。
【図５】図４における写真加工システムにおける写真加工のフローチャートである。
【図６】本発明に係る写真加工システムの第３実施形態の構成図である。
【図７】図６における写真加工システムにおける写真加工のフローチャートである。
【図８】本発明に係る写真加工システムの第４実施形態の構成図である。
【図９】図８における写真加工システムにおける写真加工のフローチャートである。
【符号の説明】
１１，４１，５１，７１    写真加工システム
１２                      レーザプリンタ
１２Ａ，５３Ａ            画像形成シート
１３                      ＣＲＴ
１４                      レーザ照射手段
１５                      加工ステージ
１６                      タッチパネル
１７                      ハーフミラー
１８，５２                撮像カメラ
１９                      制御ユニット
３１，７３                写真ラベルシート
３５                      被写体画像
３６                      レーザ加工ライン
４３                      メモリ
５３                      現像プリンティング装置
【図１】
2004177685.tif 000003
【図２】
2004177685.tif 000004
【図３】
2004177685.tif 000005
【図４】
2004177685.tif 000006
【図５】
2004177685.tif 000007
【図６】
2004177685.tif 000008
【図７】
2004177685.tif 000009
【図８】
2004177685.tif 000010
【図９】
2004177685.tif 000011